(57)【要約】【課題】より小さな力で同じようなボールの回転が得られれば、余裕が生まれ、よりボールコントロールができるようになる。【解決手段】シャフトとバットを接続して成るビリヤード用キューのシャフトであり、  シャフトの円断面の中心部に長手方向に亘って硬質合成樹脂からなるパイプ状中間材を設け、この中間材の外層に外層材を最外層として設けるとともに、  バットとの接続側部分のパイプ状中間材の中空円筒部の中に芯材を最内層として設け、  シャフトの先端側部分のパイプ状中間材の中空円筒部の中に軟質合成樹脂フォーム等からなる吸音材を設けるビリヤード用キューのシャフトによる。【選択図】図１
2007117605.tif 000002
【特許請求の範囲】
【請求項１】
シャフトとバットを接続して成るビリヤード用キューのシャフトであり、
シャフトの円断面の中心部に長手方向に亘って硬質合成樹脂からなるパイプ状中間材を設け、この中間材の外層に外層材を最外層として設けるとともに、
バットとの接続側部分のパイプ状中間材の中空円筒部の中に芯材を最内層として設け、
シャフトの先端側部分のパイプ状中間材の中空円筒部の中に吸音材を設けることを特徴とするビリヤード用キューのシャフト。
【請求項２】
バットとの接続側部分が、シャフトの長さの約１／２〜１／４程度の長さである請求項１記載のビリヤード用キューのシャフト。
【請求項３】
芯材がカーボンファイバー樹脂又はカーボンナノチューブからなる請求項１又は請求項２に記載のビリヤード用キューのシャフト。
【請求項４】
シャフトとバットを接続して成るビリヤード用キューのシャフトであり、
バットとの接続側部分の円断面の中心部に長手方向に亘って硬質合成樹脂からなるパイプ状中間材を設け、このパイプ状中間材の外層に外層材を最外層として設けるとともに、パイプ状中間材の中空円筒部の中に芯材を最内層として設け、
シャフトの先端側部分の円断面の中心部に長手方向に亘って硬質合成樹脂からなるパイプ状中間材を設け、このパイプ状中間材の外層に外層材を最外層として設けるとともに、パイプ状中間材の中空円筒部の中に吸音材を設け、
かつバットとの接続側部分とシャフトの先端側部分との間に中間部分を設け、中間部分は、外層材と同じ素材により中心から外層まで構成したことを特徴とするビリヤード用キューのシャフト。
【請求項５】
バットとの接続側部分が、シャフトの長さの約１／２〜１／４程度の長さである請求項４記載のビリヤード用キューのシャフト。
【請求項６】
芯材がカーボンファイバー樹脂又はカーボンナノチューブからなる請求項４又は請求項５に記載のビリヤード用キューのシャフト。
【請求項７】
シャフトとバットを接続して成るビリヤード用キューのシャフトであり、
シャフトの円断面の中心部に長手方向に亘って硬質合成樹脂からなるパイプ状中間材を設け、この中間材の外層に外層材を最外層として設けるとともに、
バットとの接続側部分のパイプ状中間材の中空円筒部の中に芯材を最内層として設け、
シャフトの先端側部分のパイプ状中間材の中空円筒部の中に吸音材を設けるとともに、
パイプ状中間材は、シャフト長手方向に亘って外径が同じであり、かつシャフトの先端側部分の内径の方がバットとの接続側部分の内径より大きいことを特徴とするビリヤード用キューのシャフト。
【請求項８】
パイプ状中間材の内径が、複数の内径部に分れていてシャフトの先端側部分に行くほど大きな内径部である請求項７記載のビリヤード用キューのシャフト。
【発明の詳細な説明】
【技術分野】
【０００１】
この発明は、シャフトとバットを接続して成るビリヤード用キューのシャフトに関する。
【背景技術】
【０００２】
ビリヤード用キューのシャフトは、ビリヤードキューの先端側に位置して、後端側のバットと着脱可能に接続する構造を有し、その先端部に設けた皮革等の素材でビリヤードボールを撃つ作用を有する。
【０００３】
従来のビリヤード用キューのシャフトは、外表面がテーパ状の緩い傾斜の円錐台状棒状体であり、その素材は、単材としては加工された木製のものがほとんどである。また単材の他に中空構造や多層からなる構造のキューも知られているが、主に木製の素材の異なるタイプを多層に加工して形成されていた。
【０００４】
本願出願人は、ビリヤード用キュースティックに関して、木製という同一の素材を多層構造にしたものを、特開２００１−０７０４９９号公報（特願平１１−２５１７９９号：先行技術１）により提案しており、また異なる素材の多層構造としては特開２００１−１９８２５６号公報（特願２０００−１０９７９号：先行技術２）として出願されている。更に、本願出願人は、特開２００１−３４６９３２号公報（特願２０００−１７３８９８号：先行技術３）により中空部を有するビリヤード用キュースティックを提案している。更にまた、本願出願人は、特開２００４−１０５６５８号公報（特願２００２−２７６１８３号：先行技術４）により、改良された多層構造のビリヤード用キュースティックを提案している。
【０００５】
先行技術１によって本願出願人は、「キューのバット部および／またはシャフト部が、中芯材と、中芯材の周囲に設けられた周囲材とからなることを特徴とするビリヤード用キュースティック」を開示している。
【０００６】
また、先行技術２には、「ビリヤード用キュースティックのシャフトおよび／またはバットが、棒中心部から外周表面層へ異なる素材からなる多層構造を有する棒状体からなり、多層構造の中心に貫通孔を設けたビリヤード用キュースティック」が開示されている。
【０００７】
更に、先行技術４には、「シャフトとバットが多層構造であり、シャフトが、中心から周囲方向へ複数層で、中心層が発泡プラスチック素材等の軽量部材からなり、外周層が硬質部材からなり、中心層と外周層との間に接着性及び弾力性を有する接着性弾性部材を設けている棒状体であるとともに、バットが、中心から周囲方向へ複数層で、中心層及び外周層が硬質部材からなり、中心層と外周層との間に接着性及び弾力性を有する接着性弾性部材を設けている棒状体であることを特徴とするビリヤード用キュースティック」や「シャフトとバットが多層構造からなるとともに、シャフトの多層構造とバットの多層構造が互いに異なり、シャフトが、中心から周囲方向へ複数層で、中心層が発泡プラスチック素材等の軽量部材からなり、中心層の外周側に強化筒部を設け、外周層が硬質部材からなり、強化筒部と外周層との間に接着性及び弾力性を有する接着性弾性部材を設けて接着してなる棒状体であるとともに、バットが、中心から周囲方向へ複数層で、中心層及び外周層が硬質部材からなり、中心層の外周面に強化筒部を設け、強化筒部と外周層との間に接着性及び弾力性を有する接着性弾性部材を設けて強化筒部と外周層を接着してなる棒状体であることを特徴とするビリヤード用キュースティック」が開示されている。
【特許文献１】特開２００１−０７０４９９号公報
【特許文献２】特開２００１−１９８２５６号公報
【特許文献３】特開２００１−３４６９３２号公報
【特許文献４】特開２００４−１０５６５８号公報
【発明の開示】
【発明が解決しようとする課題】
【０００８】
単材、あるいは単素材からなる多層構造、あるいは異なる素材からなる多層構造や、中空を有する構造のビリヤード用キュースティックは、それぞれ課題があった。木製のみからなる単材のビリヤード用キュースティックは、曲がりが出やすく、柾目方向と板目方向とのしなりと反発の違いがでて、ショットが安定しにくい課題があった。
【０００９】
また、多層構造のキュースティックでは、一般的に初心者や初級者、中級者の場合、キューがボールの中心から少しでも外れてヒットしたときに、ボールに与える変化が大きくなり、ボールコントロールが難しい課題があった。そのため、ゲームを面白く楽しむためには、多くの時間と努力を必要としていた。
【００１０】
また、先行技術３のように中空部を有するビリヤード用キュースティックであると、ボールを突いた時の打撃音が高く、また突いたときにプレーヤーの手が感じる振動波が堅く、微妙な感触を得にくいという課題があった。特にパイプ状の管の素材が金属であると重量が重くなるとともに、打撃音が大きく響き、その振動波が強くプレーヤーの手に伝わり手元の微妙な感触を得にくかった。
【課題を解決するための手段】
【００１１】
上記課題を解決するために、シャフトとバットを接続して成るビリヤード用キューのシャフトの構造であり、
シャフトの円断面の中心部に長手方向に亘って硬質合成樹脂からなるパイプ状中間材を設け、この中間材の外層に外層材を最外層として設けるとともに、
バットとの接続側部分のパイプ状中間材の中空円筒部の中に芯材を最内層として設け、
シャフトの先端側部分のパイプ状中間材の中空円筒部の中に吸音材を設けることを特徴とするビリヤード用キューのシャフトを提案する。
【００１２】
更に、バットとの接続側部分が、シャフトの長さの約１／２〜１／４程度の長さである００１１欄記載のビリヤード用キューのシャフト、芯材がカーボンファイバー樹脂からからなる００１１欄記載又は本欄に記載のビリヤード用キューのシャフトを提案する。
【００１３】
更にまた、シャフトとバットを接続して成るビリヤード用キューのシャフトの構造であり、
バットとの接続側部分の円断面の中心部に長手方向に亘って硬質合成樹脂からなるパイプ状中間材を設け、このパイプ状中間材の外層に外層材を最外層として設けるとともに、パイプ状中間材の中空円筒部の中に芯材を最内層として設け、
シャフトの先端側部分の円断面の中心部に長手方向に亘って硬質合成樹脂からなるパイプ状中間材を設け、このパイプ状中間材の外層に外層材を最外層として設けるとともに、パイプ状中間材の中空円筒部の中に吸音材を設け、
かつバットとの接続側部分とシャフトの先端側部分との間に中間部分を設け、中間部分は、外層材と同じ素材により中心から外層まで構成したことを特徴とするビリヤード用キューのシャフトを提案する。
【００１４】
また、バットとの接続側部分が、シャフトの長さの約１／２〜１／４程度の長さである００１３欄記載、又は本欄記載のビリヤード用キューのシャフトを提案する
【００１５】
更に、シャフトとバットを接続して成るビリヤード用キューのシャフトであり、
シャフトの円断面の中心部に長手方向に亘って硬質合成樹脂からなるパイプ状中間材を設け、この中間材の外層に外層材を最外層として設けるとともに、
バットとの接続側部分のパイプ状中間材の中空円筒部の中に芯材を最内層として設け、
シャフトの先端側部分のパイプ状中間材の中空円筒部の中に吸音材を設けるとともに、
パイプ状中間材は、シャフト長手方向に亘って外径が同じであり、かつシャフトの先端側部分の内径の方がバットとの接続側部分の内径より大きいことを特徴とするビリヤード用キューのシャフトを提案する。
【００１６】
００１５欄記載のビリヤード用キューのシャフトのパイプ状中間材の内径が、複数の内径部に分れていてシャフトの先端側部分に行くほど大きな内径部であるビリヤード用キューのシャフトを提案する。
【発明の効果】
【００１７】
この発明によれば、上記のように構成されたため、シャフトの基部側、すなわちバットとの接続側部分が、円断面中心側から芯材、硬質合成樹脂からなるパイプ状中間材という二層の硬い中心材があり、外層材と合わせ三重層で形成されるとともに、シャフトの先端側部分は、パイプ状中間材の中空円筒部の中に軟質合成樹脂フォーム等からなる吸音材を設けているため、比較的シャフトの先端側部分の方が、バットとの接続側部分の方より柔軟性があり、バットとの接続側部分の方が硬い構造である。そのため、従来のビリヤード用キューのシャフトと比べ、先端がボールを撞くとき鋭く強く反発することができた。
【００１８】
シャフトの先端側部分の方が、バットとの接続側部分の方より柔軟性があるため、先端が鋭くしなることで、ビリヤードボールを強く回転させることができるようになった。したがって、従来と同じようなビリヤードボールに先進、後進、及び左右の回転を与える場合、ビリヤードボールを余裕のある小さな力で撞いても同じ回転が起きるため、ボールコントロールが従来に比し非常に容易になった。
【００１９】
更に、シャフトの先端側部分を硬質合成樹脂からなるパイプ状中間材の中空円筒部の中に吸音材を設けているため、柔軟性と軽量性を損なわず、かつ吸音性を有するため、中空円筒部内でボール打撃音が共鳴し、その振動がプレーヤーの手に伝わり感触を低下させる欠点が無くなった。更にパイプ状中間材の素材が、金属製の素材では無いため打撃音が低下し、振動波の伝達も減少した。
【００２０】
更に又、請求項７乃至８の発明のように、パイプ状中間材の外径はシャフト長手方向に亘って同じだが、その内径をシャフトの先端側部分の方が、バットとの接続側部分の方より内径を大きくする構成、すなわちパイプ状中間材の壁の厚さが、バットとの接続側部分の方よりシャフトの先端側部分の方が相対的に薄い構成とすることにより、より先端が軽量となり柔軟性が増大するという作用効果があるビリヤード用シャフトを提供できる。
【００２１】
また、シャフト先端側部分のパイプ内の吸音材が軽量であるのでシャフトのウェイトバランスを崩すことがない。
【発明を実施するための最良の形態】
【００２２】
この発明について、ビリヤード用キューのシャフトの外観を示す正面図である図１、第１実施形態を示すビリヤード用キューのシャフトの縦断面説明図である図２、図２のＡＡ断面図である図３、図２のＢＢ断面図である図４，及び第２実施形態を示すビリヤード用キューのシャフトの部分断面説明図である図５、図５のＣＣ断面図である図６、図５のＤＤ断面図である図７、図５のＥＥ断面図である図８、及び第３実施形態を示すビリヤード用キューのシャフトの縦断面説明図である図９、図９のＦＦ断面図である図１０、図９のＧＧ断面図である図１１、図９のＨＨ断面図である図１２、第３実施形態を示すビリヤード用キューのシャフトのパイプ状中間材の縦断面図である図１３に基づいて説明する。
【００２３】
シャフト１は、図１、図２、図５及び図９に示すようにシャフト先端部１１ａへ行くにしたがって細くなる棒状体であり、後端のジョイント部１０ａで図示しないバットと接続する。
【００２４】
請求項１乃至３に係る発明である第１実施形態のビリヤード用キューのシャフト１ａについて図２及び図４に基づいて説明する。ビリヤード用キューのシャフト１ａは、シャフト１ａの円断面の中心部に長手方向に亘って硬質合成樹脂からなるパイプ状中間材２を設け、このパイプ状中間材２の外層に木材からなる外層材３を最外層として設けている。
【００２５】
この第１実施形態ではパイプ状中間材２は、同じ外径、同じ内径からなるパイプ状に形成されグラスファイバー樹脂等の硬質合成樹脂の素材から成る。
【００２６】
外層材３は、ほぼシャフト１ａ全長に亘って設けられておりメイプル材等の木製素材を使用し１本乃至複数本を組み合わせて形成される。この実施例ではメイプル材他複数の品種の木材２部材乃至８部材を円周方向に分割された部材を組み合わせて作っているが、メイプル材等の１本の木材にパイプ状中間材２用の孔を長手方向に穿設してもよい。外層材３の円横断面中心に略シャフト長手方向に亘って略同径の円筒状孔を設ける。この円筒状孔の内径は６〜９ｍｍ前後であり、この実施例では約８ｍｍである。この外層材３の円筒状孔内に外周面に接着剤を塗布した硬質合成樹脂、この実施例ではグラスファイバー樹脂製のパイプ状中間材２を挿入して接着剤にて互いに固定する。
【００２７】
シャフト１ａのバット接続側部分１０のパイプ状中間材２には、図３に示すようにその中空円筒部の中に芯材４を最内層として設ける。バットとの接続側部分１０の長さは、シャフトの長さの約１／２〜１／４程度の長さである。この芯材４は、この実施形態ではカーボンファイバー樹脂製パイプ、或はカーボンナノチューブ等のパイプ状体からなる。他の実施例としては同じカーボンファイバー樹脂からなるが中空部の無い芯材でもよい。ジョイント部１０ａは、バットとの接続部である雌ネジを設けている。
【００２８】
シャフト１ａの先端側部分１１のパイプ状中間材２には、図４に示すようにその中空円筒部の中に軟質合成樹脂フォーム等からなる吸音材５を円筒内空間に充填して設けている。吸音材５の素材としてはこの実施例では軟質合成樹脂であるウレタンフォームを使用しているが軽量で吸音作用のある素材ならば何でも使用できる。
【００２９】
次に請求項４乃至請求項６に係る発明である第２実施形態のビリヤード用キューのシャフト１ｂについて図５乃至図８に基づいて説明する。ビリヤード用キューのシャフト１ｂは、長手方向にバット接続側部分１０と、シャフト先端側部分１１と、その中間に位置する中間部分１２とを設けている。
【００３０】
バット接続側部分１０の円断面の中心部に長手方向に亘って硬質合成樹脂からなる外径が同じであるパイプ状中間材２を設け、このパイプ状中間材２の外層に木材からなる外層材３を最外層として設けている。
【００３１】
外層材３は、ほぼシャフト１ｂ全長に亘って設けられておりメイプル材等の木製素材を使用し１本乃至複数本を組み合わせて形成される。この実施例ではメイプル材他複数の品種の木材２部材乃至８部材を円周方向に分割された部材を組み合わせて作っているが、メイプル材等の１本の木材にパイプ状中間材２用の孔を長手方向に穿設してもよい。外層材３の円横断面中心に略シャフト長手方向に亘って略同径の円筒状孔を設ける。この円筒状孔の内径は６〜９ｍｍ前後であり、この実施例では約８ｍｍである。この外層材３の円筒状孔内に外周面に接着剤を塗布した硬質合成樹脂、この実施例ではグラスファイバー樹脂製のパイプ状中間材２を挿入して接着剤にて互いに固定する。
【００３２】
シャフト１ｂのバット接続側部分１０のパイプ状中間材２には、図６に示すようにその中空円筒部の中に芯材４を最内層として設ける。バットとの接続側部分１０の長さは、シャフトの長さの約１／２〜１／４程度の長さである。この芯材４は、この実施形態ではカーボンファイバー樹脂製パイプ、或はカーボンナノチューブ等のパイプ状体からなる。他の実施例としては同じカーボンファイバー樹脂からなるが中空部の無い芯材でもよい。
【００３３】
シャフト１ｂの中間部分１２は、図７に示すように外層材３と同じ素材、メイプル材等の木製素材を使用し１本乃至複数本を組み合わせて中心から外層まで形成されており、円筒状の孔は形成されていない。
【００３４】
シャフト１ｂの先端側部分１１のパイプ状中間材２には、図８に示すようにその中空円筒部の中に軟質合成樹脂フォーム等からなる吸音材５を円筒内空間に充填して設けている。吸音材５の素材としては軽量で吸音作用のある素材ならば何でも使用できる。
【００３５】
次に請求項７及び請求項８に係る発明である第３実施形態のビリヤード用キューのシャフト１ｃについて図９乃至図１３に基づいて説明する。ビリヤード用キューのシャフト１ｃは、シャフト１ｃの円断面の中心部に長手方向に亘って硬質合成樹脂からなるパイプ状中間材２を設け、このパイプ状中間材２の外層に木材からなる外層材３を最外層として設けている。
【００３６】
この第３実施形態ではパイプ状中間材２ｃは、図９及び図１３に示すように外径は同じで内径が部分によって異なるパイプ状に形成されており、グラスファイバー樹脂等の硬質合成樹脂の素材から成る。すなわちパイプ状中間材２ｃは、シャフト１ｃの長手方向に亘って外径は同じであるが、内径はシャフトの先端側部分１１ｃの内径の方がバット続側部分１０ｃの内径より大きく形成されている。
【００３７】
この実施形態では、パイプ状中間材２ｃは３部分に分れており、シャフト先端側部分１１ｃの内径Ｄａが一番大きく、中間部分１２ｃの内径Ｄｂが次に大きく、芯材４が入るバット接続側部分１０ｃの内径Ｄｃが一番小さい段階状に構成されている。したがって、パイプ状中間材２ｃの円筒壁の厚さは、シャフト先端側部分１１ｃの円筒壁が一番薄くなり、中間部分１２ｃの円筒壁がそれより内周側に厚くなり、更に芯材４が入るバット接続側部分１０ｃの円筒壁が一番厚い。
【００３８】
パイプ状中間材２ｃのシャフト先端側部分１１ｃの円筒内部２０ａ及び中間部分１２ｃの円筒内部２０ｂには、軟質合成樹脂フォーム等からなる吸音材５を円筒内部に充填して設けている。吸音材５の素材としてはこの実施例では軟質合成樹脂であるウレタンフォームを使用しているが軽量で吸音作用のある素材ならば何でも使用できる。
【００３９】
シャフト１ｃのバット接続側部分１０ｃのパイプ状中間材２ｃには、その中空円筒部２０ｃの中に芯材４を最内層として設ける。バット接続側部分１０ｃの長さは、シャフト１ｃの長さの約１／２〜１／４程度の長さである。この芯材４は、この実施形態ではカーボンファイバー樹脂製パイプ、或はカーボンナノチューブ等のパイプ状体からなる。他の実施例としては同じカーボンファイバー樹脂からなるが中空部の無い芯材でもよい。ジョイント部１０ａは、バット接続側部分の端部に雌ネジを設けている。
【００４０】
第３実施形態の外層材３は、ほぼシャフト１ｃ全長に亘って設けられておりメイプル材等の木製素材を使用し１本乃至複数本を組み合わせて形成される。この実施例ではメイプル材他複数の品種の木材２部材乃至８部材を円周方向に分割された部材を組み合わせて作っているが、メイプル材等の１本の木材にパイプ状中間材２用の孔を長手方向に穿設してもよい。外層材３の円横断面中心に略シャフト長手方向に亘って略同径の円筒状孔を設ける。この円筒状孔の内径は６〜９ｍｍ前後であり、この実施例では約８ｍｍである。この外層材３の円筒状孔内に外周面に接着剤を塗布した硬質合成樹脂、この実施例ではグラスファイバー樹脂製のパイプ状中間材２を挿入して接着剤にて互いに固定する。
【００４１】
この発明によれば、上記のように構成されたため、シャフトの基部側、すなわちバット接続側部分１０が、円断面中心側から芯材４、硬質合成樹脂からなるパイプ状中間材２という二層の硬い中心材があり、外層材３と合わせ三重層で形成されている。これに対してシャフト先端側部分１１は、パイプ状中間材２の中空円筒部の中に軟質合成樹脂フォーム等からなる吸音材５を設けている。そのため、比較的シャフトの先端側部分１１の方が、バットとの接続側部分１０の方より柔軟性があり、バットとの接続側部分の方が硬い構造であるため、従来のビリヤード用キューのシャフトと比べ、先端がボールを撞くとき鋭く強く反発することができる。
【００４２】
シャフトの先端側部分１１の方が、バットとの接続側部分１０の方より柔軟性があるため、先端が鋭くしなることで、ビリヤードボールを強く回転させることができるようになった。したがって、従来と同じようなビリヤードボールに先進、後進、及び左右の回転を与える場合、ビリヤードボールを余裕のある小さな力で撞いても同じ回転が起きるため、ボールコントロールが従来に比し非常に容易になった。
【００４３】
特に、パイプ状中間材の外径はシャフト長手方向に亘って同じだが、その内径をシャフトの先端側部分の方が、バットとの接続側部分の方より内径を大きくする構成、すなわちパイプ状中間材の壁の厚さが、バットとの接続側部分の方よりシャフトの先端側部分の方が相対的に薄い構成とすることにより、より先端が軽量となり柔軟性があるビリヤード用シャフトを提供できる。
【００４４】
更に、シャフトの先端側部分１１を硬質合成樹脂からなるパイプ状中間材の中空円筒部の中に軟質合成樹脂フォーム等からなる吸音材５を設けているため、柔軟性と軽量性を損なわず、かつ吸音性を有するため、中空円筒部内でボール打撃音が共鳴し、その振動がプレーヤーの手に伝わり感覚を低下させることがない。
【００４５】
吸音材５が、ウレタンフォームなどの軟質合成樹脂フォーム等からなるため、軽量であるのでシャフト１のウェイトバランスを崩すことがない。
【産業上の利用可能性】
【００４６】
ビリヤード用キューとして、初心者から上級者までの利用が期待される。
【図面の簡単な説明】
【００４７】
【図１】ビリヤード用キューのシャフトの外観を示す正面図
【図２】この発明の第１実施形態を示すビリヤード用キューのシャフトの縦断面説明図
【図３】同じく図２のＡＡ断面図
【図４】同じく図２のＢＢ断面図
【図５】この発明の第２実施形態を示すビリヤード用キューのシャフトの部分断面説明図
【図６】同じく図５のＣＣ断面図
【図７】同じく図５のＤＤ断面図
【図８】同じく図５のＥＥ断面図
【図９】この発明の第３実施形態を示すビリヤード用キューのシャフトの縦断面説明図
【図１０】同じく図９のＦＦ断面図
【図１１】同じく図９のＧＧ断面図
【図１２】同じく図９のＨＨ断面図
【図１３】この発明の第３実施形態を示すビリヤード用キューのシャフトのパイプ状中間材の縦断面図
【００４８】
１ａ  シャフト（第１実施形態）
１ｂ  シャフト（第２実施形態）
１ｃ  シャフト（第３実施形態）
１０  シャフトのバットとの接続側部分
１０ａ  ジョイント部
１１  シャフトの先端側部分
１１ａ  先端
１２  中間部分
２  パイプ状中間材（グラスファイバー樹脂等）  
２ｃ  パイプ状中間材（第３実施形態）
２０ａ  第３実施形態のパイプ状中間材のシャフト先端側部分
２０ｂ  第３実施形態のパイプ状中間材の中間部分
２０ｃ  第３実施形態のパイプ状中間材のバット接続側部分
Ｄａ  第３実施形態のパイプ状中間材のシャフト先端側部分の内径
Ｄｂ  第３実施形態のパイプ状中間材の中間部分の内径
Ｄｃ  第３実施形態のパイプ状中間材のバット接続側部分の内径
３  外層材（メープル材等、複数種の木材）
４  芯材（カーボンファイバー樹脂、カーボンナノチューブ等）
５  吸音材（ウレタンフォーム等）
【図１】
2007117605.tif 000003
【図２】
2007117605.tif 000004
【図３】
2007117605.tif 000005
【図４】
2007117605.tif 000006
【図５】
2007117605.tif 000007
【図６】
2007117605.tif 000008
【図７】
2007117605.tif 000009
【図８】
2007117605.tif 000010
【図９】
2007117605.tif 000011
【図１０】
2007117605.tif 000012
【図１１】
2007117605.tif 000013
【図１２】
2007117605.tif 000014
【図１３】
2007117605.tif 000015